(57)【要約】【課題】  食器に対する洗浄性能が十分に得られ、且つ食器かごの出し入れ時に噴射ノズルが邪魔にならず、また該食器かご及び噴射ノズルが破損しないようにする。【解決手段】  食器かご３５は洗浄槽に配置されるものである。洗浄槽内には、食器かご３５に対応する部位に給水口を有する第１の水案内路が設けられている。前記食器かご３５には、一端に前記第１の水案内路の給水口に着脱可能に接続される接続口４６を有する第２の水案内路４５が設けられ、この第２の水案内路４５の他端に回転可能に接続された噴射ノズル５１が設けられている。【選択図】  図１
2006136614.tif 000002
【特許請求の範囲】
【請求項１】
本体の内部に洗浄槽を備えた食器洗浄機において、
前記洗浄槽内に配置される食器かごと、
前記洗浄槽内に、洗浄用の水が供給されるように設けられ、前記食器かごに対応する部位に給水口を有する第１の水案内路と、
前記食器かごに設けられ、一端に前記第１の水案内路の給水口に着脱可能に接続される接続口を有する第２の水案内路と、
この第２の水案内路の他端に回転可能に接続されて前記食器かごに設けられ、洗浄水を噴射する噴射口を有する噴射ノズルと
を備えたことを特徴とする食器洗浄機。
【請求項２】
噴射ノズルは食器かごの下部に位置して設けられていることを特徴とする請求項１に記載の食器洗浄機。
【請求項３】
食器かごには複数の食器配置部が設けられており、
接続口は前記食器かごにおける食器配置部境界部分に位置して設けられ、
給水口は該食器かごの接続口と対応する位置に設けられていることを特徴とする請求項１又は２に記載の食器洗浄機。
【請求項４】
食器かごには、食器を前側傾斜形態で配置し得る複数の食器配置部が設けられており、
第２の水案内路の接続口は前記食器かご後端部において食器配置部境界部分に位置して設けられ、
該第２の水案内路において前記接続口から途中部までの接続口側部分は前記食器配置部境界部分を前方へ指向する形態に設けられ、且つ該第２の水案内路において前記途中部から他端までのノズル側部分は斜め前方に屈曲し、該先端部分が前記食器配置部のほぼ中心に位置するように設けられていることを特徴とする請求項１又は２に記載の食器洗浄機。
【請求項５】
噴射ノズルのほぼ回転中心上部には水噴射用孔部が設けられていることを特徴とする請求項２に記載の食器洗浄機。
【請求項６】
噴射ノズルの噴射口には、洗浄用の水を上方へ噴射する上噴射口と、下方へ噴射する下噴射口とがあることを特徴とする請求項２に記載の食器洗浄機。
【請求項７】
食器かごの前側の下端が噴射ノズルよりも下方へ突出することを特徴とする請求項２に記載の食器洗浄機。
【請求項８】
本体の内部に洗浄槽を備えた食器洗浄機において、
前記洗浄槽内に配置される食器かごと、
前記洗浄槽内に設けられ、前記食器かごに対応する部位に給水口を有する第１の水案内路と、
前記食器かごに設けられ、一端に前記第１の水案内路の給水口に着脱可能に接続される接続口を有する第２の水案内路と
を備え、
前記給水口は複数設けられ、前記接続口は該複数の給水口に択一的に接続可能であることを特徴とする食器洗浄機。
【発明の詳細な説明】
【技術分野】
【０００１】
本発明は、洗浄用の水の供給及び噴射構造を改良した食器洗浄機に関する。
【背景技術】
【０００２】
食器洗浄機には、特許文献１に示される構成のものがある。このものにおいては、複数の食器かごを洗浄槽内に上下２段に配置できるようにし、該洗浄槽内の下部及び中間部に噴射ノズルを配設し、下部の噴射ノズルは下側の食器かごの下方から上方へ水を噴射し、上部の噴射ノズルは、上側の食器かごの下方から上方へ水を噴射する構成である。
【特許文献１】特開２００２−６５５５９号公報
【発明の開示】
【発明が解決しようとする課題】
【０００３】
しかし、上記従来のものでは、上下に食器かごが配置される場合に、上下の食器かごの食器に対して洗浄効果が優れているが、特に上部の噴射ノズルは、洗浄槽内に常に突出した状態で設けられているため、食器かごの出し入れの時に邪魔になると共に、噴射ノズル自体が食器かごによって傷つけられたり、破損したりする虞があった。また、洗浄槽に対して食器かごの配置がずれると、食器と噴射ノズルとの位置関係がずれて所期の洗浄性能が得られない虞もある。
【０００４】
本発明は上述の事情に鑑みてなされたものであり、その目的は、食器に対する洗浄性能が十分に得られると共に、食器かごの出し入れ時に噴射ノズルが邪魔になることもなければ該食器かご及び噴射ノズルが傷つけられたり破損したりすることもない食器洗浄機を提供するにある。
【課題を解決するための手段】
【０００５】
上記目的を達成するために、請求項１の発明は、本体の内部に洗浄槽を備えた食器洗浄機において、前記洗浄槽内に配置される食器かごと、前記洗浄槽内に、洗浄用の水が供給されるように設けられ、前記食器かごに対応する部位に給水口を有する第１の水案内路と、前記食器かごに設けられ、一端に前記第１の水案内路の給水口に着脱可能に接続される接続口を有する第２の水案内路と、この第２の水案内路の他端に回転可能に接続されて前記食器かごに設けられ、洗浄水を噴射する噴射口を有する噴射ノズルとを備えたことを特徴とする。
【０００６】
この請求項１の発明によれば、第１の水案内路から洗浄用の水が供給されると、この水は、給水口、第２の水案内路を経て、食器かごの噴射ノズルの噴射口から洗浄槽内に噴射され、食器に対する洗浄性能が十分に得られる。食器かごが、食器の出し入れのために洗浄槽に対して出し入れされる場合には、食器かごに噴射ノズルを設けているので、噴射ノズルは該食器かごに付随しており、食器かごの出し入れ時に噴射ノズルが邪魔になることもなければ該食器かご及び噴射ノズルが傷つけられたり破損したりすることもない。また、食器かごと噴射ノズルとの位置関係が常に一定であるから、所期の洗浄性能が期待できる。
【発明を実施するための最良の形態】
【０００７】
以下、本発明の一実施形態について図面を参照して説明する。
まず、本発明の食器洗浄機の外観を示す図２及び図３において、食器洗浄機の本体１は、前面に開口部２を有した矩形箱状をなしており、この本体１の前面には、開口部２を開閉するための扉３が設けられている。扉３は、下部側の下扉体４と上部側の上扉体５との２個の扉体により構成されていて、これら下扉体４と上扉体５は、図示しないリンク機構によって連動するように連結されている。この扉３は、下扉体４に設けた開用操作子６を引き操作すると、ロック状態が解除されて、図３のように開放する。なお、下扉体４の前面部には、透明窓部７、洗浄運転に係る設定を行うための複数の操作部８及び表示部９が設けられている。上扉体５のほぼ中央部には排気口１０が設けられている。なお、下扉体４は、開放状態でほぼ水平状態となる（図３参照）。
【０００８】
洗浄槽１１内の下部の左右両側には、２個の下噴射ノズル１２、１３が回転可能に配設されていて、各下部噴射ノズル１２、１３は複数の噴射口１２ａ、１３ａを有している。
【０００９】
また、洗浄槽１１の背面部の左側には、図４にも示すように、第１の水案内路１４が設けられている。この第１の水案内路１４は、内部を通水路としていて、上下方向に延びると共に、途中で右方向に右案内路部１４ａが、左方向に左案内路部１４ｂが分岐している。右案内路部１４ａはさらに上方へ直線状に延び、この直線部に、それぞれ給水口たる右上給水口１５及び右下給水口１６が設けられている。また左案内路部１４ｂもさらに上方へ直線状に延び、この直線部にも、それぞれ給水口たる左上給水口１７及び左下給水口１８が設けられている。
【００１０】
この第１の水案内路１４、及び上記噴射ノズル１２、１３は、洗浄槽１１の底部に設けられた配管１９（図４参照）に接続されている。配管１９には、図示しないポンプから水が供給されるようになっていて、その供給された水が、それら第１の水案内路１４及び噴射ノズル１２、１３に分配されて供給されるようになっている。
【００１１】
ここで、噴射ノズル１２、１３は、ポンプから供給された洗浄水を噴射口１２ａ、１３ａから上方に向けて噴射しながら回転し、その噴射した洗浄水で、後述する食器かごに載置された食器類の汚れを落とすためのものである。
なお、図示はしないが、本体１の内部には、ヒータやファンも配設されている。ヒータは、洗浄行程及びすすぎ行程時の洗浄水の加熱に供すると共に、乾燥行程時に温度を上昇させ、ファンによって乾燥風を食器等に吹き付けて乾燥に供するものである。
【００１２】
上記給水口１５〜１８部分はいずれも同じ構成であるので、右上給水口１５を代表して、主に図５、図１６を参照して説明する。右上給水口１５は、第１の水案内路１４の右案内路１４ａに設けられた円筒部２０の外周部に、軸方向に移動可能に嵌合されている。右上給水口１５には、円筒部２０内に配設された弁手段を構成する弁部材２１が、当該右上給水口１５と一体に移動可能に連結されている。円筒部２０の内部には環状のばね受け部２２が設けられていて、このばね受け部２２と右上給水口１５との間に、付勢手段を構成する圧縮コイルばね２３が配設されている。弁部材２１は、ばね受け部２２の内側に形成された通水口２４、ひいては右上給水口１５を開閉する構成となっている。
【００１３】
右上給水口１５が前方から押圧されていない状態では、図５に示すように、圧縮コイルばね２３の付勢力により右上給水口１５が前方へ移動すると共に、弁部材２１が前方へ移動して通水口２４を閉鎖している。この状態では右上給水口１５は閉鎖され、第１の水案内路１４からの水は、右上給水口１５からは出ない。後述するように、右上給水口１５と共に弁部材２１が後方へ押圧移動されると、通水口２４が開放されるようになる（図１６参照）。
【００１４】
上記洗浄槽１１内の下部には、図４に示すように、上記下噴射ノズル１２、１３の上方に位置させて、下食器かご２５がガイド部２６を介して前後方向にスライド可能に配置されている。
【００１５】
そして、図３、図４に示すように、洗浄槽１１内の右側面の上部には、右かご支え２７が取り付けられ、洗浄槽１１内の左側面の上部には、左かご支え２８が取り付けられ、さらに、洗浄槽１１内の左右両側面間の中間部（ほぼ中心位置）に位置して、中かご支え２９が天井面から垂下状態に取り付けられている。
【００１６】
右かご支え２７には、上下２段に、前後方向に延びるかご支持部３０ａ、３１ａが形成されている。中かご支え２９の右面には、上下２段に、前後方向に延びるかご支持部３０ｂ、３１ｂが形成されており、このかご支持部３０ｂは前記かご支持部３０ａと同じ高さ位置にある。かご支持部３１ｂは前記かご支持部３１ａと同じ高さ位置にある。そして、このかご支持部３０ａ（３０ｂ）と３１ａ（３１ｂ）との上下離間寸法は、前記給水口１５、１６の離間寸法と同じであり、これらかご支持部３０ａ、３０ｂ、３１ａ、３１ｂは、後述する右上食器かご３５が選択的に配置される。つまり右上食器かご３５は高さ位置変更可能である。
【００１７】
また中かご支え２７の左面には、上下３段に、前後方向に延びるかご支持部３２ａ、３３ａ、３４ａが形成されており、左かご支え２８にも、上下３段に、前後方向に延びるかご支持部３２ｂ、３３ｂ、３４ｂが形成されている。各かご支持部３２ａ、３３ａ、３４ａは、かご支持部３２ｂ、３３ｂ、３４ｂと同一高さである。そして、このかご支持部３２ａ（３２ｂ）と３３ａ（３３ｂ）との上下離間寸法は、前記給水口１７、１８の離間寸法と同じであり、これらかご支持部３２ａ、３３ａ、３２ｂ、３３ｂは、後述する左上食器かご３６を選択的に配置するものである。つまり左上食器かご３６も高さ位置変更可能である。また、かご支持部３４ａ、３４ｂは、後述する中食器かご３７を配置するためのものである。
【００１８】
ここで、各食器かご２５、３６〜３７について述べる。下食器かご２５は例えばステンレス線材を適宜曲げ加工し、組み合わせ溶着して構成されており、図６に示すように、大皿や中皿、茶碗の収容に好適する。中食器かご３７は、プラスチックの一体成形品から構成されており、茶碗や中皿、小皿などの食器の収容に好適する。この中食器かご３７の左右上部には前記かご支持部３４ａ、３４ｂにスライド可能に支持される被支持部３７ａ、３７ｂが形成されている。
【００１９】
右上食器かご３５及び左上食器かご３６は、本発明に係る食器かごに相当するものであり、まず、右上食器かご３５について述べる。図１、図８及び図１０に示すように、この右上食器かご３５は、プラスチックの一体成形品からなるものであり、枠部３８と、主横リブ３９ａ〜３９ｉと、主縦リブ４０ａ、４０ｂとで、例えば９個の食器配置部４１を区画して構成している。各食器配置部４１には、傾斜付与用の補助リブ４２、４２と傾斜付与用の柱状部材４３、４３が形成されており、これにより食器例えばコップＡが図１０に示すように前側傾斜形態に配置されるようになっている。この場合補助リブ４２、４２の切込み４２ａ、４２ａによりコップの開口縁を支持し、柱状部材４３、４３により前側外面を支えている。また、枠部３８の左右辺部上端部には前記かご支持部３０ａ及び３０ｂあるいは３１ａ及び３１ｂにスライド可能に支持される被支持部４４ａ、４４ｂが形成されている。上述した各食器配置部４１により食器を前側傾斜状態に配置させることによって、食器の収容配置及び取り出しが行ない易くし、しかも、食器が陶磁器などである場合にはその糸尻に水が溜まらないようにしている。
【００２０】
さらに、この右上食器かご３５において、図７に示すように、この右上食器かご３５の前側の下端である枠部３８の前板部３８ａの下端３８ｂは、後述する噴射ノズル５１よりも下方へ突出しており、この場合枠部３８の後板部３８ｃの下端３８ｄも下方へ突出している。そして、図１から判るように、前記枠部３８の前板部３８ａにおいて、その下端３８ｂ上方部分には横長な開口（肉盗み）３８ｅ、３８ｅが形成されていて、正面から見て噴射ノズル５１が見えるようになっている。
【００２１】
この右上食器かご３５には、第２の水案内路４５が設けられている。この第２の水案内路４５は、一端に接続口４６を有している。この接続口４６は右上食器かご３５の後板部３８ｃに形成され、この接続口４６と連続するように一体形成された上通路体４７と、この上通路体４７に接合された下通路体４８とから構成されている。上記上通路体４７は断面半円弧状をなしており（図１０参照）、下通路体４８は、図１２、図１４に示すように、前記上通路体４７を下方から塞ぎ得る形状に形成されている。そして、この下通路体４８の他端には、図１０に示すように、下向きに開口するノズル連結口４９が形成されており、このノズル連結口４９の下方部には水圧を受けて分散する水圧分散部４９ａが形成されている。また上通路体４７の他端上部（噴射ノズル５１のほぼ回転中心上部）には、水噴射用孔部４７ａが形成されている。
さらに、この下通路体４８のノズル連通口４９の外周囲には、噴射ノズル５１を回転可能に連結するためのリング状の鍔部５０が形成されている。
【００２２】
このような第２の水案内路４５の他端であるノズル連結口４９には、右上食器かご３５下部に位置する噴射ノズル５１が回転可能に取り付けられている。この噴射ノズル５１の回転軌跡は平面的に見て右上食器かご３５から出ないようになっている。この噴射ノズル５１は、図１２、図１５に示すように、上ノズル体５２と、下ノズル体５３とを接合して構成されている。上ノズル体５２には、ノズル連結口４９外周囲に遊嵌状態で連結する受け口５２ａが形成されており、この受け口５２ａのさらに外方の２箇所に係止爪５４、５４が形成されている。この係止爪５４、５４が前記鍔部５０に係合することにより該噴射ノズル５１が第２の水案内路４５他端に回転可能に連結されている。
【００２３】
図１５に示すように、上ノズル体５２の両端部には噴射口たる上噴射口５５が形成されている。この上噴射口５５は上方向及び接線方向に開口していて、洗浄用の水を斜め上方へ噴射するものであり、この噴射された水は、食器を洗浄すると共に、噴射ノズル５１に回転力を与える。
【００２４】
図１３に示すように下ノズル体５３は底板部がその中心に向けて下降傾斜するものであり、最下部に水抜き孔５７が形成されていて、残水が無い対策が採られている。またこの下ノズル体５３の底板部には噴射口たる下噴射口５８ａ、５８ｂ、５８ｃが形成されている。これら下噴射口５８ａ、５８ｂ、５８ｃは洗浄用の水を下方へ噴射するものであり、噴射ノズル５１の回転時に、それぞれの回転軌跡が重ならない位置に形成されている。
【００２５】
ここで、図８及び図１１に示すように、前記第２の水案内路４５の接続口４６は前記右上食器かご３５の後端部である後板部３８ｃにおいて食器配置部４１境界部分に位置して設けられている。そして、該第２の水案内路４５において前記接続口４６から途中部（次の食器配置部４１境界部）までの接続口側部分４５ａは、前記食器配置部４１境界部分を前方へ指向する形態に設けられ、且つ該第２の水案内路４５において前記途中部から他端までのノズル側部分４５ｂは斜め前方に屈曲し、該先端部分４５ｃがこの場合中央の前記食器配置部（図８、図１０に符号４１Ｐをもって示す）のほぼ中心に位置するように設けられている。これにより、第２の水案内路４５の流路面積を大きく確保できた。すなわち、第２の水案内路４５の経路としては、図１１に仮想線Ｋ、Ｋ´で示すように、接続口４６から直線状に延びて、ほぼ直角に曲る経路が考えられる。しかしこの場合、噴射ノズル５１中心に向かう直線部分Ｋ´において、図１０から予測がつくように、食器に第２の水案内路４５の上通路体４７が当たってしまうことになる。これを避けるためには第２の水案内路４５を下方へ下げるか、水路断面積を小さくしなければならない。
【００２６】
しかるに本実施例では、食器配置部４１が食器を前側傾斜形態に配置する構成になっていることを考慮して、つまり、食器の開口縁の後ろ側が持ち上がって空間部Ｓ（図１０参照）が形成されるから、この空間部Ｓを通るように、第２の水案内路４５のノズル側部分４５ｂを斜め前方に屈曲している。この結果、第２の水案内路４５が食器に当たることなく且つ十分な流路面積を確保するものとなる。
【００２７】
なお、この実施例においては、右上食器かご３５を被支持部３０ａ、３０ｂに支持させて奥まで移動させると、図示しない係合手段にその移動後の位置に保持されると共に、その移動により、図１６に示すように、第２の水案内路４５の接続口４６が右上給水口１５を押圧して通水口２４を既述したように開放させながら、該右上給水口１５に着脱可能に接続される。上記係合手段の係合によりこの接続関係は保持され、この係合手段の係合力に抗して右上食器かご３５を引き出すと、接続口４６は右上給水口１５から外れる。また、右上食器かご３５を被支持部３１ａ、３１ｂに支持させて奥まで移動させると、第２の水案内路４５の接続口４６が右下給水口１６に接続されることになる。
【００２８】
なお、左上食器かご３６は、収容する食器に応じて、大きさ、形状などは右上食器かご３５と異なるが、構成要素としては該右上食器かご３５とほぼ同一である。ただし、正面から見た横幅寸法は、両食器かご３５、３６とも同一としている。左上食器かご３６は、図１７に示すように、プラスチックの一体成形品から構成されており、枠部５９と、所要数の横リブ６０と、所要数の縦リブ６１とで、９個の食器配置部６２が形成されている。また各食器配置部６２には、補助リブ６３及び柱状部材６４が形成されていて、食器を前側傾斜形態に配置するようになっている。この左上食器かご３６の左右下部には被支持部６５ａ、６５ｂが形成されており、この被支持部６５ａ、６５ｂを前記かご支持部３２ａ及び３２ｂあるいは３３ａ及び３３ｂに支持させることにより、該左上食器かご３６を位置変更可能（高さ位置変更可能）に配置できるものである。
【００２９】
この左上食器かご３６には、一端に接続口６６を有する第２の水案内路６７が設けられており、この第２の水案内路６７の先端下部には、左上食器かご３６下部に位置する噴射ノズル６８が回転可能に設けられている。この第２の水案内路６７及び噴射ノズル６８は、基本的に右上食器かご３５の第２の水案内路４５及び噴射ノズル５１と同じ機能を有する構成としている。上記接続口６６は接続口４６の場合と同様、左上食器かご３６の位置変更に応じて左上給水口１７、左下給水口１８に択一的に接続されるものである。
【００３０】
さて、上記構成において、食器かご２５、３５、３６、３７を図４及び図６のように洗浄槽１１内に配置した状態では、右上食器かご３５の接続口４６は右上給水口１５に着脱可能に接続され、左上食器かご３６の接続口６６は左下給水口１８に着脱可能に接続される。そして、ポンプにより洗浄用の水が下噴射ノズル１２、１３及び第１の水案内路１４に供給されると、既述したように下噴射ノズル１２、１３の噴射口１２ａ、１３ａから水が噴射されると共に、第１の水案内路１４の右上給水口１５から、右上食器かご３５の第２の水案内路４５を経て噴射ノズル５１の各噴射口５５、５６、５８ａ〜５８ｃ、水噴射用孔部４７ａから水が噴射される。また第１の水案内路１４の左下給水口１８から、左上食器かご３６の第２の水案内路６７を経て噴射ノズル６８の各噴射口及び水噴射用孔部から水が噴射される。これにより、食器が洗浄される。
【００３１】
特に、噴射ノズル５１においては、その上噴射口５５、５６から上方へ噴射される水が、当該噴射ノズル５１を備えた右上食器かご３５に向けて噴射されるから、該食器かご３５の食器に対する洗浄効果が飛躍的に向上する。さらに、水噴射用孔部４７ａからも水が上方へ噴射されるから、洗浄水が届き難いところの噴射ノズル５１の中心部上方に位置する食器に対しても、洗浄作用を及ぼすことができる。また噴射ノズル５１の噴射口５８ａ〜５８ｃから下方へ噴射される水により下食器かご２５の食器も洗浄できる。
【００３２】
また、三段配置の最上部となる左上食器かご３６に対しては、下噴射ノズル１２、１３からの噴射水が届き難いが、本実施例によれば、当該食器かご３６に備えられた噴射ノズル６８の上噴射口からの水が当該食器かご３６に噴射されるから、当該食器かご３６の食器が良好に洗浄される。また中食器かご３７の食器も噴射ノズル６８の下噴射口からの水によっても良好に洗浄される。
【００３３】
ここで、本実施例によれば、右上食器かご３５が出し入れされる場合には、右上食器かご３５に噴射ノズル５１を設けているので、噴射ノズル５１は該食器かご３５に付随しており、食器かご３５の出し入れ時に噴射ノズル５１が邪魔になることもなければ該食器かご３５及び噴射ノズル５１が傷つけられたり破損したりすることもない。また、この食器かご３５と噴射ノズル５１との位置関係が常に一定であるから、所期の洗浄性能が期待できる。また、右上食器かご３５を取り出すと、噴射ノズル５１が洗浄槽１１内に突出状態で存在することがないので、洗浄槽１１の清掃も容易となる。
【００３４】
また、本実施例によれば、噴射ノズル５１を右上食器かご３５の下部に位置して設けたから、複数の食器かごが上下に配置される場合に、当該食器かご３５を本実施例のように上段に配置することで、上下複数の食器かごの食器を効果的に洗浄することができる。
【００３５】
また、本実施例によれば、食器かご３５に、複数の食器配置部４１を設け、接続口４６を前記食器かご３５における食器配置部４１境界部分に位置して設けた構成としたので、接続口４６を食器配置に邪魔にならないように設けることができ、収容する食器数が接続口４６によって減少されることがない。
【００３６】
さらに本実施例によれば、食器配置部４１を、食器を前側傾斜形態で配置し得る形態に形成し、第２の水案内路４５の接続口４６を前記食器かご３５後端部において食器配置部４１境界部分に位置して設け、該第２の水案内路４５において前記接続口４６から途中部までの接続口側部分４５ａを、前記食器配置部４１境界部分を前方へ指向する形態に設け、且つ該第２の水案内路４５において前記途中部から他端までのノズル側部分４５ｂを斜め前方に屈曲し、該先端部分４５ｃが前記食器配置部４１のほぼ中心に位置するように設けたから、該第２の水案内路４５を、食器に当たることなく且つ十分な流路面積を確保する形態に形成できる。この場合、食器配置部４１を、食器を前側傾斜形態で配置し得る形態としたことにより、食器を食器かごに収容配置する場合に配置しやすく、また、食器が傾斜することから、食器の糸尻部分に水が溜まることも防止できる。
【００３７】
また本実施例によれば、噴射ノズル５１のほぼ回転中心上部に水噴射用孔部４７ａを設けたので、洗浄水が届き難いところの噴射ノズル５１の中心部上方に位置する食器に対しても、洗浄作用を及ぼすことができる。
【００３８】
さらに本実施例によれば、噴射ノズル５１の噴射口として、洗浄用の水を上方へ噴射する上噴射口５５と、下方へ噴射する下噴射口５８ａ〜５８ｃとを設けたので、当該噴射ノズル５１を備えた右上食器かご３５の食器のみならず下方に位置する下食器かご２５の食器にも十分な洗浄作用を発揮できる。
【００３９】
また、右上食器かご３５の前側の下端３８ｂを噴射ノズル５１よりも下方へ突出させたから、下食器かご２５の挿入配置時に該下食器かご２５の食器が噴射ノズル５１に当たることを防止できる。つまり、下食器かご２５に大きな（高さ方向に高い）食器が収容されると、該下食器かご２５の挿入配置時にその大きな食器が噴射ノズル５１に当たってこれを傷つけたり破損させたりすることが懸念されるが、この場合、本実施例では、下食器かご２５の食器が右上食器かご３５の前側の下端３８ｂに当たるから、そのまま下食器かご２５が挿入されることがなく、もって、噴射ノズル５１の傷付きや破損を防止できる。
【００４０】
この場合、右上食器かご３５の後側の下端３８ｄも噴射ノズル５１よりも下方へ突出させたから、下食器かご２５配置状態で、右上食器かご３５を挿入配置するときに、した食器かご２５の大きな食器が収容されていたとしても、該食器が、噴射ノズル５１に当たる前に当該下端３８ｄに当たるようになり、もって、この場合も噴射ノズル５１の傷付きや破損を防止できる。
【００４１】
さらに本実施例によれば、複数の給水口１５、１６を設け、右上食器かご３５の接続口４６が該複数の給水口１５、１６に択一的に接続可能としたから、右上食器かご３５を位置変更できる。この場合高さ位置を変更できる。なお、左右の両食器かご３５、３６は横幅寸法を同一としていることから、かご支持部３０ａ〜３３ａ及び３０ｂ〜３３ｂと被支持部４４ａ、４４ｂ、６５ａ、６５ｂの位置関係や、各給水口１５〜１８と接続口４６及び６６との位置関係について、両食器かご３５、３６間で共通性をもたせておけば、右側の給水口１５、１６と左側の給水口１７、１８とに対して接続口４６を択一的に接続可能であり、このようにすれば、右上食器かご３５と左上食器かご３６とを入れ替えて配置することも可能となる。
【００４２】
なお、左上食器かご３６についても、上述した実施例効果と同様の効果が得られる。特にこの左上食器かご３６は、三段配置の最上部となるから、下噴射ノズル１２、１３からの噴射水が、中食器かご３７により届き難い事情にあるが、本実施例によれば、当該食器かご３６に備えられた噴射ノズル６８の上噴射口からの水が当該食器かご３６に噴射され、当該食器かご３６の食器に対する洗浄効果が飛躍的に高くなる。特に、この場合、噴射ノズル６８の下噴射口から噴射される水により、三段配置の中間である中食器かご３７にも上から洗浄されることになり、これも洗浄効果が飛躍的に向上する。なお、右上食器かご３５は、下噴射ノズル１２、１３からの洗浄作用が直接作用するので、該右上食器かご３５の噴射ノズル５１の下噴射口５８ａ〜５８ｃは必要に応じて設けるようにしても良い。このようにすると、上噴射口５５からの洗浄力の向上が期待できる。
【００４３】
なお、本発明は要旨を逸脱しない範囲で変更して実施しても良く、例えば、第１の水案内路１４は、給水口１５、１６専用に設け、給水口１７、１８については別の水案内路を設けても良い。また、第２の水案内路４５、６７はそれぞれ食器かご３５、３６と一部一体成形したが、別体でも良い。また、中食器かご３７に噴射ノズルを設けるようにしても良い。また、給水口の開閉構造については適宜変更しても良い。
【図面の簡単な説明】
【００４４】
【図１】本発明の一実施例を示し、右上食器かごを斜め下方から見た斜視図
【図２】食器洗浄機全体の斜視図
【図３】扉開放状態の食器洗浄機全体の斜視図
【図４】洗浄槽の正面図
【図５】給水口部分の縦断側面図
【図６】食器かごの配置形態を示す斜視図
【図７】同側面図
【図８】右上食器かごを斜め上から見た斜視図
【図９】右上食器かご、第２の水案内路、噴射ノズルの分解斜視図
【図１０】右上食器かごの縦断側面図
【図１１】同下面図
【図１２】噴射ノズル及び下通路体の斜視図
【図１３】噴射ノズルの斜め下方からの斜視図
【図１４】下通路体の斜め下方からの斜視図
【図１５】噴射ノズルの斜め上方からの斜視図
【図１６】給水口と接続口との接続状態を示す図５相当図
【図１７】左上食器かごを斜め上方から見た斜視図
【図１８】同斜め下方から見た斜視図
【図１９】同側面図
【符号の説明】
【００４５】
図面中、１は本体、１１は洗浄槽、１２、１３は下噴射ノズル、１４は第１の水案内路、１５は右上給水口（給水口）、１６は右下給水口（給水口）、１７は左上給水口（給水口）、１８は左下吸水口（給水口）、２１は弁部材、２５は下食器かご、３５は右上食器かご（食器かご）、３６は左上食器かご（食器かご）、３７は中食器かご、４１は食器配置部、４５は第２の水案内路、４５ａは接続口側部分、４５ｂはノズル側部分、４６は接続口、４７は上通路体、４７ａは水噴射用孔部、４８は上通路体、５１は噴射ノズル、５２は上ノズル体、５３は下ノズル体、６２は食器配置部、６６は接続口、６７は第２の水案内路、６８は噴射ノズルを示す。
【図１】
2006136614.tif 000003
【図２】
2006136614.tif 000004
【図３】
2006136614.tif 000005
【図４】
2006136614.tif 000006
【図５】
2006136614.tif 000007
【図６】
2006136614.tif 000008
【図７】
2006136614.tif 000009
【図８】
2006136614.tif 000010
【図９】
2006136614.tif 000011
【図１０】
2006136614.tif 000012
【図１１】
2006136614.tif 000013
【図１２】
2006136614.tif 000014
【図１３】
2006136614.tif 000015
【図１４】
2006136614.tif 000016
【図１５】
2006136614.tif 000017
【図１６】
2006136614.tif 000018
【図１７】
2006136614.tif 000019
【図１８】
2006136614.tif 000020
【図１９】
2006136614.tif 000021